(57)【要約】      （修正有）【課題】測定中に有機溶剤が揮発し、測定溶液の量が変化することがなく、マイクロプレートリーダー庫内での蓋の落下などの問題のない、マイクロプレートを提供する。【解決手段】隔壁１１によって円筒状に形成されたウェル１２を複数有する横長平板状のマイクロプレート本体部１と、マイクロプレート本体部１に載置される蓋部２と、からなるマイクロプレートである。マイクロプレート本体部１は、耐有機溶剤性を有し無色透明でない素材からなると共に、隔壁１１とウェル１２を有しており、かつ、その周縁部が隔壁１１より高く形成されたマイクロプレート部材１Ａに、耐有機溶剤性を有する無色透明な素材からなる底板１Ｂをねじ止めしてなる。蓋部２は、石英ガラス製プレートからなり、かつ、マイクロプレート本体部１に被せたときに、マイクロプレート本体部１における隔壁１１とウェル１２と周縁部とを隙間なく覆うように、マイクロプレート本体部１における周縁部に対応する位置にフリンジが形成されていることを特徴とする。【選択図】図１
0003198828.tif 000002
【実用新案登録請求の範囲】
【請求項１】
隔壁によって円筒状に形成されたウェルを複数有する横長平板状のマイクロプレート本体部と；前記マイクロプレート本体部に載置される蓋部と；からなるマイクロプレートであって、
前記マイクロプレート本体部は、
耐有機溶剤性を有し無色透明でない素材からなると共に、前記隔壁と前記ウェルを有しており、かつ、その周縁部が前記隔壁より高く形成されたマイクロプレート部材に、耐有機溶剤性を有する無色透明な素材からなる底板をねじ止めしてなり；
前記蓋部は、石英ガラス製プレートからなり、かつ、前記マイクロプレート本体部に被せたときに、前記マイクロプレート本体部における前記隔壁とウェルと前記周縁部とを隙間なく覆うように、前記マイクロプレート本体部における前記周縁部に対応する位置にフリンジが形成されている；
ことを特徴とする、マイクロプレート。
【請求項２】
前記底板が、フロート板ガラス又は石英ガラスからなる、請求項１に記載のマイクロプレート。
【請求項３】
前記マイクロプレート部材が、ポリテトラフルオロエチレン樹脂からなる、請求項１又は２に記載のマイクロプレート。
【考案の詳細な説明】
【技術分野】
【０００１】
本考案は、各種実験・検査に用いられるマイクロプレートに関し、特に食品等の抗酸化能の一種である一重項酸素消去能測定に好適な、マイクロプレートに関する。
【背景技術】
【０００２】
近年、生体の酸化ストレスが、生活習慣病をはじめとする様々な疾病に関わることが明らかになり、生体に備わる抗酸化メカニズムに加え、食事等により外部から抗酸化成分を体内に取り入れることが健康の維持に重要と考えられるようになってきている。
このような背景から、抗酸化成分の摂取量の目安として、抗酸化能測定値の表示に対する期待が高まっているが、抗酸化物質をどの程度摂取すればよいのかということはほとんど知られていない。
抗酸化物質は、種類も多く、個々に測定し、その総和を表示することは不可能であることから、体外から摂取する抗酸化物質が、本当に疾病リスクの低下に役立つのかという検証も含め、抗酸化成分の健康への効果を明らかにするためにも、まずその基礎技術となる農産物等の抗酸化能（抗酸化物質の総量）を測るための抗酸化能測定法を確立する必要がある。
【０００３】
特に農産物等に含まれるカロテノイド類は、一重項酸素消去能という抗酸化能を有し、その測定法として、SOAC法が、向井らにより開発されている（J. Agric. Food Chem. 58(18):9967-78）。
このSOAC法は、6連セル分光光度計を用いるため、一回の測定で一種類の試料しか測定ができない。そのため、本法の原理による24ウエルマイクロプレートを用いて一重項酸素消去能の測定を行うSOAC法（マイクロプレート法）が開発されているが、これには有機溶媒を使用するため、有機溶剤耐性のマイクロプレートが必要となる。
【０００４】
従来用いられている有機溶剤耐性を有する24ウエルガラスマイクロプレートには、ホウケイ酸ガラス製の完全透明なもの、或いは、日本板硝子株式会社製（FU-24：なお、現在は製造中止）の黒色ガラス（ソーダライム）を使用し、隣接ウエルの光が入りにくいもの、などがある（例えば、特許文献１参照）。
【０００５】
しかしながら、前者は、蓋があるものの、単なる被せ式の蓋であって密閉度が低くルーズなため、測定中に試料としてウェル内に投入する有機溶剤が揮発し、測定溶液の量が変化してしまうという問題が生じている。
【０００６】
また、後者は、専用の蓋が存在しないことから、石英ガラス製のプレートを蓋として用いると、蓋が外れやすく、試料としてウェル内に投入する有機溶剤の揮発、或いは、マイクロプレートリーダーの振動によるマイクロプレートリーダー庫内での蓋の落下などの問題があり、測定に支障を来している。
さらに、このマイクロプレートは、ウエルの壁面に角度がついており、直角でないことから、マイクロプレートリーダーの機種によっては、測定時の振動によりウエル中の測定溶液がウエル外に飛散することがある。
【先行技術文献】
【特許文献】
【０００７】
【特許文献１】特開２００７−２９２５５６号公報
【考案の概要】
【考案が解決しようとする課題】
【０００８】
本考案は、上記従来の課題を解消し、測定中に試料としてウェル内に投入した有機溶剤が揮発し、測定溶液の量が変化しまうという問題や、マイクロプレートリーダーの振動によるマイクロプレートリーダー庫内での蓋の落下などといった問題のない、マイクロプレートを提供することを目的とする。
さらに、本考案は、特に食品等の抗酸化能の一種である一重項酸素消去能測定に好適な、マイクロプレートを提供することを目的とする。
【課題を解決するための手段】
【０００９】
即ち、本考案は、次の（１）〜（３）を提供するものである。
（１）：隔壁によって円筒状に形成されたウェルを複数有するマイクロプレート本体部と；前記マイクロプレート本体部に載置される蓋部と；からなるマイクロプレートであって、
前記マイクロプレート本体部は、
耐有機溶剤性を有し無色透明でない素材からなると共に、前記隔壁と前記ウェルを有しており、かつ、その周縁部が前記隔壁より高く形成されたマイクロプレート部材に、耐有機溶剤性を有する無色透明な素材からなる底板をねじ止めしてなり；
前記蓋部は、石英ガラス製プレートからなり、かつ、前記マイクロプレート本体部に被せたときに、前記マイクロプレート本体部における前記隔壁とウェルと前記周縁部とを隙間なく覆うように、前記マイクロプレート本体部における前記周縁部に対応する位置にフリンジが形成されている；
ことを特徴とする、マイクロプレートに関するものである。
（２）：前記底板が、フロート板ガラス又は石英ガラスからなる、前記（１）に記載のマイクロプレートに関するものである。
（３）：前記マイクロプレート部材が、ポリテトラフルオロエチレン樹脂からなる、前記（１）又は前記（２）に記載のマイクロプレートに関するものである。
【考案の効果】
【００１０】
本考案によれば、測定中に試料としてウェル内に投入した有機溶剤が揮発し、測定溶液の量が変化しまうという問題や、マイクロプレートリーダー庫内での蓋の落下などの問題のない、マイクロプレートが提供される。
即ち、マイクロプレートにおけるマイクロプレート本体部の上に蓋部を載せたときに、マイクロプレート本体部と蓋部とが密着し、これにより、測定中に試料としてウェル内に投入した有機溶剤が揮発し、測定溶液の量が変化しまうという問題や、マイクロプレートリーダーの振動によるマイクロプレートリーダー庫内での蓋の落下などの問題が解消される。
また、本考案のマイクロプレートは、底板が耐有機溶剤性を有する無色透明な素材から形成されているため、上面からのみならず、底面からの可視光の測定も可能なものとなっている。
さらに、本考案のマイクロプレートは、マイクロプレート本体部と蓋部とが耐有機溶剤性を有した素材からなるものであることから、本考案によれば、特に食品等の抗酸化能の一種である一重項酸素消去能測定に好適な、マイクロプレートが提供される。
【図面の簡単な説明】
【００１１】
【図１】本考案のマイクロプレートの第１実施形態を示す斜視図である。
【図２】本考案のマイクロプレートの第１実施形態を正面側から見た断面図である。
【図３】本考案のマイクロプレートの第１実施形態を平面側から見た説明図である。
【図４】本考案のマイクロプレートの第１実施形態を底面側から見た説明図である。
【図５】本考案のマイクロプレートの第１実施形態を側面側から見た説明図である。
【考案を実施するための形態】
【００１２】
以下、本考案の第１実施形態について図面を参照しながら詳細に説明する。
図１は、本考案のマイクロプレートの第１実施形態を示す斜視図、図２は第１実施形態を正面側から見た説明図、図３は第１実施形態を平面側から見た説明図、図４は第１実施形態を底面側から見た説明図、図５は第１実施形態を側面側から見た説明図である。
【００１３】
図１から図５に示すように、本実施形態のマイクロプレートは、マイクロプレート本体部１と、蓋部２と、を備える。
【００１４】
マイクロプレート本体部１は、全体として横長の平板状をなしており、通常、縦横の比率が横３に対し、縦２程度のものである。図では、横１２８ｍｍ、縦８５ｍｍのものを示している。
マイクロプレート本体部１は、隔壁１１によって円筒状に形成されたウェル（試料を入れる窪み・穴）１２を複数有する。図では、ウェル１２を２４個（縦４列、横６列）設けた、２４ウェルのものを示しているが、例えば１２ウェル、４８ウェル、９６ウェル、３８４ウェルなどのものであってもよい。
ウェル１２は、隔壁１１によって円筒状に形成されており、ここに試料として有機溶剤が投入される。
ここで、図に示されるように、ウエル１２の壁面１２１は、隔壁１１や後述する底板１Ｂとは、直角に形成されているので、マイクロプレートリーダーの測定時の振動でもウエル１２中の測定溶液が飛散しにくいものとなっている。
【００１５】
マイクロプレート本体部１は、基本的にマイクロプレート部材１Ａと底板１Ｂとからなり、マイクロプレート部材１Ａに、底板１Ｂをねじ止めしてなるものである。底板１Ｂをねじ止めにより固定していることから、底板１Ｂを適宜交換することが可能である。なお、底板１Ｂを交換する必要がないのであれば、これを接着剤などにより固着したり、或いは熱融着したりして一体化してもよい。
【００１６】
また、通常、図に示すように、マイクロプレート部材１Ａと底板１Ｂとの間に、Oリング１４を挟み込み、ウェル１２内の試料がマイクロプレート部材１Ａと底板１Ｂとの間から漏れるのを防いでいるが、底板１Ｂをねじ止めしていることから、このOリング１４も用途等を考慮して、また必要に応じて、適宜交換することが可能である。
【００１７】
Oリング１４の素材としては、耐有機溶剤性に優れた素材、例えば各種フッ素ゴムを用いるとよい。各種フッ素ゴムとして具体的には、フッ化ボニリデン系（FKM）、テトラフルオロエチレン−プロピレン系（FEPM）、テトラフルオロエチレン−パーフルオロビニルエーテル系（FFKM）等のフッ素ゴムが挙げられる。
【００１８】
マイクロプレート部材１Ａは、耐有機溶剤性を有し無色透明でない素材、具体的には、例えば白色のポリテトラフルオロエチレン（ＰＴＦＥ）樹脂や、黒色ガラス（ソーダライム）などからなるものである。特に、クロロホルム耐性を有し、加工性・成形性などに優れることから、ＰＴＦＥ樹脂からなるものが最も好ましい。
このように耐有機溶剤性を有しつつ、無色透明でない素材でマイクロプレート部材１Ａを構成していることから、耐有機溶剤性を有しながら隣接ウェルの光が入りにくく、食品等の抗酸化能の一種である一重項酸素消去能測定に好適な、マイクロプレートとなっている。
【００１９】
マイクロプレート部材１Ａは、その周縁部１３が、ウェル１２内に試料として投入される有機溶剤の流出を防ぐことができる程度に、隔壁１１より高く形成されている。
【００２０】
底板１Ｂは、耐有機溶剤性を有する無色透明な素材、具体的には、例えばフロート板ガラスや石英ガラスなどからなるものである。特に、平滑性や透明性に優れることから、フロート板ガラスからなるものが好ましい。
本実施形態のマイクロプレートは、底板１Ｂが耐有機溶剤性を有する無色透明な素材から形成されているため、上面からのみならず、底面からの可視光の測定も可能なものとなっている。
【００２１】
本実施形態のマイクロプレートは、上記の如きマイクロプレート本体部１と、蓋部２と、を備えたものである。
【００２２】
蓋部２は、石英ガラス製プレートからなる、プレート状（板状）のものである。石英ガラス製であることから、耐有機溶剤性を有し無色透明である上に、加工性・成形性などにも優れたものとなっている。
この蓋部２には、前記マイクロプレート本体部１に被せたときに、マイクロプレート本体部１における隔壁１１と周縁部１３とを隙間なく覆うように、マイクロプレート本体部１における周縁部１３に対応する位置にフリンジ（へり）２１が形成されている。このため、蓋部２とマイクロプレート本体部１との隙間が実質的になくなっている。
フリンジ２１は、図に示されるように、蓋部２を横から見たときに、下向きの横長の凸状をなすように、蓋部２の周縁部にわたり形成されている。
蓋部２には、このフリンジ２１が形成されていることから、マイクロプレート本体部１の上に蓋部２を載せたときに、マイクロプレート本体部１と蓋部２とが密着し、この結果、測定中にウェル１２内に試料として投入された有機溶剤が揮発し、測定溶液の量が変化しまうという問題や、マイクロプレートリーダーの振動によるマイクロプレートリーダー庫内での蓋の落下などといった問題が解消される。
本実施形態のマイクロプレートによれば、これまで蓋の落下が見られたマイクロプレートリーダーの機種の庫内でも蓋が落下することなく測定可能になった。
【００２３】
なお、図１に示されるように、マイクロプレート本体部１における底板１Ｂの下側に、さらにアルミ製などの押さえ板１Cが存在してもよく、そうでなくてもよい。
この押さえ板１Cには、ウェル１２の位置に対応する位置に、これと同程度の大きさ（直径）を有する空洞が設けられている。
この押さえ板１Cを存在させることにより、底板１Ｂが設置面に接触して破損するのを防いだり、ねじ止めの頭のところが破損したりするのを防ぐ。
【００２４】
以上、本考案の実施形態について図面を参照して説明したが、本考案の要旨を逸脱しない限り、具体的な構成はこの実施形態に限られるものではない。
【産業上の利用可能性】
【００２５】
本考案のマイクロプレートは、有機溶剤に耐性を持ち、しかも上面、底面からの可視光の測定が可能であるばかりか、マイクロプレートリーダーの振動を受けても蓋が落下しないものであることから、特にカロテノイド系の抗酸化成分を含有する農産物・食品の抗酸化能評価に有効に利用される。
【符号の説明】
【００２６】
１：マイクロプレート本体部
１A：マイクロプレート部材
１B：底板
１C：押さえ板
１１：隔壁
１２：ウェル
１２１：ウエルの壁面
１３：周縁部
１４：Oリング
２：蓋部
２１：フリンジ
【図１】
0003198828.tif 000003
【図２】
0003198828.tif 000004
【図３】
0003198828.tif 000005
【図４】
0003198828.tif 000006
【図５】
0003198828.tif 000007